(57)【特許請求の範囲】
【請求項１】
上面に開口部を有する洗浄槽と、
この洗浄槽の内部で被洗浄物を洗浄する洗浄機構と、
前記洗浄槽の開口部を開閉すべく、一端側が上下回動可能に枢支され、二つ折り可能に構成されて、開時には二つに折り畳まれ、閉時には伸ばされて前記洗浄槽の開口部を覆う蓋と、
この蓋の二つ折り可能な部分近傍の両側にスライド可能に設けられたロック用係止部材と、
このロック用係止部材を移動操作する操作部材と、
前記ロック用係止部材又は前記洗浄槽側に設けられ、蓋の閉状態で相手部材と係合することにより蓋をロックする第１の係合部、及びそのロック位置からの前記操作部材の操作によるロック用係止部材のスライドに伴い該ロック用係止部材を介して蓋を下方へ寄せるようにガイドする斜面、並びにその蓋を前記第１の係合部の係合によるロック位置より下方に寄せた位置でロックする第２の係合部と、
前記洗浄槽側の開口部周縁又は蓋の裏面周縁部のいずれかに設けられた水封部材とを具備して成る洗浄機。
【請求項２】
洗浄機構が、蓋が第１の係合部によりロックされる位置では作動不能で、第２の係合部によりロックされる位置では作動可能としたことを特徴とする請求項１記載の洗浄機。
【請求項３】
ロック用係止部材が弾性体により常時蓋より外方へ突出するように付勢され、その付勢力によって第１の係合部による蓋のロックが蓋の閉鎖と同時に行われることを特徴とする請求項１記載の洗浄機。
【請求項４】
蓋が第１の係合部によりロックされる位置では水封部材を強圧しないようになっていることを特徴とする請求項１記載の洗浄機。
【請求項５】
第１の係合部及び第２の係合部が係合する相手部材が、その係合に供する被係合部の上下両側に面取り部を有することを特徴とする請求項１記載の洗浄機。
【請求項６】
第２の係合部が凸形状で相手部材と係合することを特徴とする請求項１記載の洗浄機。
【請求項７】
上面に開口部を有する洗浄槽と、
この洗浄槽の内部で被洗浄物を洗浄する洗浄機構と、
前記洗浄槽の開口部を開閉すべく、一端側が上下回動可能に枢支され、第１の蓋体と第２の蓋体とにより二つ折り可能に構成されて、開時には二つに折り畳まれ、閉時には伸ばされて前記洗浄槽の開口部を覆う蓋と、
この蓋の二つ折り可能な部分にスライド可能に設けられた連結部材と、
前記蓋の他端部側にスライド可能に設けられたロック用係止部材と、
このロック用係止部材及び前記連結部材を移動操作する操作部材と、
前記ロック用係止部材又は前記洗浄槽側に設けられ、蓋の閉状態で相手部材と係合することにより蓋をロックする第１の係合部、及びそのロック位置からの前記操作部材の操作によるロック用係止部材のスライドに伴い該ロック用係止部材を介して蓋を下方へ寄せるようにガイドする斜面、並びにその蓋を前記第１の係合部の係合によるロック位置より下方に寄せた位置でロックする第２の係合部と、
前記連結部材に設けられ、前記操作部材の操作による連結部材のスライドによって前記第１の蓋体及び第２の蓋体を結合する結合部と、
前記洗浄槽側の開口部周縁又は蓋の裏面周縁部のいずれかに設けられた水封部材とを具備して成る洗浄機。
【請求項８】
第１の係合部及び第２の係合部を、第１の蓋体と第２の蓋体とのうちの自由端側の蓋体の先端部のほゞ中央部分において、それぞれ蓋のロックをするように設けたことを特徴とする請求項７記載の洗浄機。
【発明の詳細な説明】
【０００１】
【発明の属する技術分野】
本発明は洗浄槽が上面に開口部を有する構造の洗浄機に関する。
【０００２】
【従来の技術】
従来より、例えば食器洗浄機等の洗浄機において、洗浄槽が上面に開口部を有するものは、被洗浄物の出し入れがその洗浄槽の上面の開口部からでき、使用者が逐一かがむ必要がないことから、使い勝手が良い利点を有している。
しかして、この上面に開口部を有する洗浄槽に対しては、蓋が一般に横方向へのスライド式にて設けられている。これは、洗浄機の設置場所の上方に吊戸棚など他の設備が存することが多く、蓋が開状態でその吊戸棚などに当たらないようにするためである。
【０００３】
【発明が解決しようとする課題】
上述の横方向スライド式の蓋では、キャビネットの天板に蓋のスライドを案内するガイドレールを設ける必要がある。しかしながら、食器洗浄機をキャビネットに後付けで取付けるような場合、キャビネットの天板にはガイドレールが設けられていないため、食器洗浄機を設置することが不可能あるいは困難になってしまう。
【０００４】
これを避けるには、蓋を後端側枢支の上下回動式にすることによって天板にガイドレールを設ける必要をなくせば良いが、洗浄槽の上面の開口部は被洗浄物の出し入れの便を考慮して相当に大きく、これを閉鎖する蓋もかなり大形である。このため、蓋を上下回動式にすると、蓋が開いた際に前述の吊戸棚などに当たってしまう。又、吊戸棚などに当たらなかったとしても、開いた状態では大形の蓋が起立状態となるため、目障りになる等の問題を生じる。
【０００５】
本発明は上述の事情に鑑みてなされたものであり、従ってその目的は、蓋をガイドレールを設ける必要のない上下回動式としながらも、開放時に吊戸棚等に当たるおそれがなく、又、蓋が目障りになることもなくて、更に、閉状態では蓋を閉状態に確実に留めることができ、且つ操作上無理なく確実に水封することのできる洗浄機を提供するにある。
【０００６】
【課題を解決するための手段】
上記目的を達成するために、本発明の洗浄機は、第１に、上面に開口部を有する洗浄槽と、この洗浄槽の内部で被洗浄物を洗浄する洗浄機構と、前記洗浄槽の開口部を開閉すべく、一端側が上下回動可能に枢支され、二つ折り可能に構成されて、開時には二つに折り畳まれ、閉時には伸ばされて前記洗浄槽の開口部を覆う蓋と、この蓋の二つ折り可能な部分近傍の両側にスライド可能に設けられたロック用係止部材と、このロック用係止部材を移動操作する操作部材と、前記ロック用係止部材又は前記洗浄槽側に設けられ、蓋の閉状態で相手部材と係合することにより蓋をロックする第１の係合部、及びそのロック位置からの前記操作部材の操作によるロック用係止部材のスライドに伴い該ロック用係止部材を介して蓋を下方へ寄せるようにガイドする斜面、並びにその蓋を前記第１の係合部の係合によるロック位置より下方に寄せた位置でロックする第２の係合部と、前記洗浄槽側の開口部周縁又は蓋の裏面周縁部のいずれかに設けられた水封部材とを具備して成ることを特徴とする（請求項１）。
【０００７】
このものによれば、蓋は開時に二つに折り畳まれるから、背丈の低い小形の形態になる。又、閉状態では、蓋は、二つ折り状態から伸びて洗浄槽の開口部を覆い、この状態でロック用係止部材が洗浄槽側に第１の係合部で係合することにより、ロックされる。更に、この場合、操作部材を操作することで、蓋は上記第１の係合部によるロック位置より下方に寄せられた位置で第２の係合部によりロックされ、これに伴い水封部材が押圧されて、より高い水封機能を発揮するようになる。
【０００８】
本発明の洗浄機は、第２に、上面に開口部を有する洗浄槽と、この洗浄槽の内部で被洗浄物を洗浄する洗浄機構と、前記洗浄槽の開口部を開閉すべく、一端側が上下回動可能に枢支され、第１の蓋体と第２の蓋体とにより二つ折り可能に構成されて、開時には二つに折り畳まれ、閉時には伸ばされて前記洗浄槽の開口部を覆う蓋と、この蓋の二つ折り可能な部分にスライド可能に設けられた連結部材と、前記蓋の他端部側にスライド可能に設けられたロック用係止部材と、このロック用係止部材及び前記連結部材を移動操作する操作部材と、前記ロック用係止部材又は前記洗浄槽側に設けられ、蓋の閉状態で相手部材と係合することにより蓋をロックする第１の係合部、及びそのロック位置からの前記操作部材の操作によるロック用係止部材のスライドに伴い該ロック用係止部材を介して蓋を下方へ寄せるようにガイドする斜面、並びにその蓋を前記第１の係合部の係合によるロック位置より下方に寄せた位置でロックする第２の係合部と、前記連結部材に設けられ、前記操作部材の操作による連結部材のスライドによって前記第１の蓋体及び第２の蓋体を結合する結合部と、前記洗浄槽側の開口部周縁又は蓋の裏面周縁部のいずれかに設けられた水封部材とを具備して成ることを特徴とする（請求項７）。
【０００９】
このものでも、蓋は開時に二つに折り畳まれるから、背丈の低い小形の形態になる。又、閉状態では、蓋は、二つ折り状態から伸びて洗浄槽の開口部を覆い、この状態でロック用係止部材が洗浄槽側に第１の係合部で係合することにより、ロックされる。更に、この場合、操作部材を操作することで、蓋は、第１の蓋体と第２の蓋体とが連結部材の結合部によって結合され、又、その操作部材の操作により、第１の係合部によるロック位置より下方に寄せられた位置で第２の係合部によりロックされ、これに伴い水封部材が第２の係合部の位置に関係なく全体に押圧されて、より高い水封機能を発揮するようになる。
【００１０】
【発明の実施の形態】
以下、本発明をシステムキッチンの流し台用キャビネットに組込む食器洗浄機に適用した第１実施例につき、図１ないし図１５を参照して説明する。
まず図２及び図３にはシステムキッチンの流し台用キャビネット１を示しており、これの例えばステンレス板から成る天板２には、図２に示すように、シンク３を形成すると共に、このシンク３の側方部に位置して水切り板部４を形成し、そして、その水切り板部４の側方部に本発明に係る食器洗浄機５を設けている。
【００１１】
上記食器洗浄機５は槽体６を主体に構成したもので、その槽体６は天板２に形成した開口部７（図４参照）を通じて上方からキャビネット１内に収納している。従って、この実施例の食器洗浄機５はシステムキッチンの流し台用キャビネット１を外箱として利用するものである。
【００１２】
上記槽体６はプラスチック製で、その上部には周縁部に取付用のフランジ部８、凹部９、及び段部１０（図２参照）を外方より内方へ順に形成し、そして、その段部１０の内方に上面が開口する洗浄槽１１を形成している。なお、槽体６は、図４に示すように、段部１０を天板２の開口部７周縁のフランジ部１２に水封用のガスケット１３を介して載置し、その上で複数個のねじ１４により締付けることによって、天板２に取付けている。又、槽体６のねじ１４挿入部の上方にはねじ隠し用のキャップ１５を装着している。
【００１３】
洗浄槽１１の内部には、図２に示すように、底部に洗浄機構を構成する噴水アーム１６及びヒータ１７を配設しており、その上方部に、被洗浄物である食器を収容する食器かご１８を洗浄槽１１の上面の開口部を通じ出し入れ可能に収納している。又、洗浄槽１１には給水弁１９を具えた給水管２０を接続しており、その給水弁１９を開放することによって、水道水が給水管２０から洗浄槽１１内に所定水位となるまで供給されるようにしている。そして、その水は前記ヒータ１７によって所定温度例えば６０［℃］程度まで加熱されるようになっている。
【００１４】
更に、洗浄槽１１の外側には洗浄ポンプ２１と排水ポンプ２２とを設けており、その洗浄ポンプ２１によって、洗浄槽１１の底部に設けたフィルタ付き貯水タンク部２３から洗浄槽１１内の洗浄水を吸入して前記噴水アーム１６に圧送するようになっている。又、排水ポンプ２２によって、同貯水タンク部２３から洗浄槽１１内の洗浄水を吸入し前記シンク３の図示しない排水管に排出するようになっている。
【００１５】
噴水アーム１６は上述のように洗浄水が圧送されてくると、その洗浄水を食器かご１８内の食器（被洗浄物）に向けて噴射すると共に、その噴射の反動によって回転するようになっており、この回転により食器に洗浄水が満遍なく噴射され、食器の洗浄が行われる。
加えて、洗浄槽１１の外側には送風機２４を設けている。この送風機２４は乾燥行程時に洗浄槽１１内に外気を送り込むもので、その送り込まれた空気は前記ヒータ１７により加熱されて熱風化され、この熱風により洗浄後の食器を乾燥させるようになっている。
【００１６】
さて、洗浄槽１１の上面の開口部は蓋２５により開閉されるようになっている。この蓋２５は、図３に示すように、第１の蓋体である後蓋体２６と、第２の蓋体である前蓋体２７とから成るもので、その両蓋体２６，２７は、図４に示すように、ともに上殻２６ａ，２７ａと下殻２６ｂ，２７ｂとから成っている。この上殻２６ａ，２７ａ及び下殻２６ｂ，２７ｂは例えばすべてプラスチック製であるが、中でも洗浄槽１１内に面する殻２６ｂ，２７ｂは耐熱プラスチック製としている（上殻２６ａ，２７ａも耐熱プラスチック製としても良い）。
【００１７】
両蓋体２６，２７は、これらの上殻２６ａ，２７ａと下殻２６ｂ，２７ｂとをそれぞれねじ２８により結合して中空の偏平な矩形箱状に構成したものであり（この場合、ねじ２８による結合構造は後蓋体２６についてのみ図示したが、前蓋体２７も同様である）、更に、下殻２６ｂの前縁部と下殻２７ｂの後端部には図５に示すように筒状の連結部２６ｃ，２７ｃを交互配置でそれぞれ横一列状に多数形成し、これらを組合わせて１本の細棒状シャフト２９（図４参照）を通し連結することによって、両蓋体２６，２７を回動可能に連結し、蓋２５としては二つ折り可能に構成している。
【００１８】
しかして、蓋２５は、一端側である後蓋体２６の後端部を洗浄槽１１側に上下回動可能に枢支している。この蓋２５の後蓋体２６の後端部を枢支する枢支機構３０は、軸３１を有するもので、この軸３１は、詳細には図６及び図７に示すように、円柱部３１ａと、断面非円形例えば小判形の非円柱部３１ｂとを、円形のつば部３１ｃを境にしてその両側に有している。
【００１９】
枢支機構３０は、そのほか、円柱状の軸受部３２ａを有する軸受部材３２と、レバー３３、弾性体であるスプリング３４、及び取付板３５を具えており、そのうちの軸受部材３２の軸受部３２ａに軸３１の円柱部３１ａを挿入して回転可能に支承している。又、レバー３３は軸３１の円柱部３１ａの反非円柱部３１ｂ側端部にねじ３６によって取付け、該レバー３３の先端部と取付板３５の前部に形成した立上り片３５ａとの間にスプリング３４を張架している。
【００２０】
そして、枢支機構３０は、図８に示すように２組を１組ずつ左右に分けて前記槽体６の後辺部の段部１０上に配置し、この位置で、軸３１の非円柱部３１ｂがそれぞれ外側を向く状態で、図９に示すように、取付板３５を軸受部材３２と共にねじ３７によって槽体６に取付けている。
又、槽体６の後辺部の段部１０上にはカバー３８を爪３９によって取付けており、このカバー３８によって両枢支機構３０を覆い、図１０に示すように、軸３１の非円柱部３１ｂだけをカバー３８外に突出させている。
【００２１】
一方、蓋２５には、後蓋体２６の後端部の両側に弾性取付部材４０をねじ４１によって取付けている。この弾性取付部材４０は先端部側にほゞＵ字状部４０ａを有するもので、更にそのほゞＵ字状部４０ａ片側の自由片部４０ｂの内側には爪４０ｃを形成しており、この爪４０ｃを有する自由片部４０ｂの弾性により、ほゞＵ字状部４０ａを上記カバー３８から突出した軸３１の非円柱部３１ｂに係合させて着脱可能に取付けており、もって蓋２５の後蓋体２６の後端部を洗浄槽１１側に上下回動可能に枢支している。
【００２２】
ここで、図８に示すように、蓋２５の枢支部から蓋２５全体の先端部である前蓋体２７の前端部までの長さをＬ0 とし、枢支部から二つ折り可能な部分である後蓋体２６の前端部までの長さをＬ1 としたとき、長さＬ1 が長さＬ0 の半分より大きい、すなわち、Ｌ1 ＞（Ｌ0 ／２）となるように設定している。
【００２３】
又、図４及び図５に示すように、洗浄槽１１側の開口部周縁である段部１０には、溝４２を全周にわたり形成していて、この溝４２に水封部材である矩形枠状のパッキン４３を装填している。このパッキン４３に対し、蓋２５の後蓋体２６の裏面及び前蓋体２７の裏面には、それぞれ凸部４４，４５を後蓋体２６及び前蓋体２７の連結部分を除きそれぞれコ字形のリブ状に形成している。
【００２４】
更に、蓋２５の二つ折り可能な部分の合わせ部分である上記後蓋体２６及び前蓋体２７の合わせ部分には、図４に示すように、第２の水封部材であるパッキン４６を合わせ部分の全長にわたり設けている。このパッキン４６は詳細には例えば後蓋体２６に取付けており、該後蓋体２６から前蓋体２７の後端面に圧接する突出寸法を有している。
【００２５】
そして、蓋２５の先端部側である前蓋体２７の中央部よりやゝ後側の部分の上側には手掛部４７を設けている。この手掛部４７は、前蓋体２７の中央部よりやゝ後側の部分で前記上殻２７ａに形成した円形の凹部４８と、この凹部４８に収納した操作部材４９とから成るもので、その操作部材４９は、凹部４８のほゞ前半部を占める、蓋付き椀状物を縦に半割りしたような袋状を成し、底部４９ａのみ円形を成している。この操作部材４９の底部４９ａには、中心部に円筒状のボス５０を有しており、その後方部と前方部とにピン５１，５２を有していて、ボス５０を凹部４８の底部の中心部にワッシャ付きのねじ５３によって水平回動可能に取付け、ピン５１，５２を凹部４８の底部に形成した孔５４，５５を通して下方の前蓋体２７内に突出させている。
【００２６】
前蓋体２７内には、蓋２５の二つ折り可能な部分の近傍に位置して、ロック用係止部材５６，５７を配設している。このロック用係止部材５６，５７は、図１１に示すようにクランク状で、各一端部に前後（図中上下）に長い長孔５８，５９を有しており、この長孔５８，５９に上記操作部材４９のピン５１，５２を嵌入させている。なお、上記操作部材４９のピン５１，５２を通した前記凹部４８の孔５４，５５も長孔５８，５９と同様の長孔状を成している。
【００２７】
しかして、前蓋体２７内には、中央寄りの部分と左右の両側部とに、それぞれ前後に列して左右に開放する案内部６０，６１，６２，６３を下殻２７ｂと一体に形成しており、この各案内部６０〜６３の各間にロック用係止部材５６，５７を位置させることによって、ロック用係止部材５６，５７を案内部６０〜６３で左右にスライド可能に案内するようにしている。
【００２８】
又、前蓋体２７の上殻２７ａには、ロック用係止部材５６，５７のそれぞれに対応して、図４に示すリブ６４を形成しており（ロック用係止部材５６に対応するもののみ図示したが、ロック用係止部材５７に対応しても形成している）、これらによってロック用係止部材５６，５７を下殻２７ｂにスライド可能に押え付け、もって蓋２５の上壁である前蓋体２７の上殻２７ａと下壁である下殻２７ｂとの間でロック用係止部材５６，５７をスライド可能に挟持している。
【００２９】
更に、図１１に示すように、ロック用係止部材５６，５７の各中間部と、前蓋体２７の下殻２７ｂの案内部６２，６３近くの部分に形成したピン６５，６６との間には、それぞれ弾性体であるスプリング６７，６８を張架しており、これらによってロック用係止部材５６，５７をそれぞれ外方に付勢し、その各先端部を前蓋体２７の両側面部から外方へ突出させるようにしている。
【００３０】
上記前蓋体２７の両側面部から突出するようにされたロック用係止部材５６，５７の先端部は、図１の（ａ）に代表して示すごとくで、第１の係合部５６ａ，５７ａを有すると共に、第２の係合部５６ｂ，５７ｂを有している。これら第１の係合部５６ａ，５７ａと第２の係合部５６ｂ，５７ｂは、高低差Ｓの階段状を成すもので、第１の係合部５６ａ，５７ａが下方に、第２の係合部５６ｂ，５７ｂが上方に位置している。
【００３１】
又、第１の係合部５６ａ，５７ａより下側には、これら第１の係合部５６ａ，５７ａより基部側（図１で左側）の箇所より先方に向かって漸次上昇する斜面５６ｃ，５７ｃを形成しており、第１の係合部５６ａ，５７ａと第２の係合部５６ｂ，５７ｂとの間には、反対に先方に向かって漸次下降する斜面５６ｄ，５７ｄを形成している。
加えて、第２の係合部５６ｂ，５７ｂは、図１２及び図１３に示すように、ロック用係止部材５６，５７の両側縁部で長手方向に延びる２つの突条から成る凸形状としている。
【００３２】
これらに対して、洗浄槽１１側である槽体６の凹部９側壁面には、図１の（ａ）に代表して示すように、凹部６９，７０によって被係合部７１，７２を形成しており、更に、この被係合部７１，７２の上下両側の端縁部には、それぞれ面取り部７１ａ，７２ａ，７１ｂ，７２ｂを形成している。この場合、上側の面取り部７１ａ，７２ａは曲面状を成すものであり、下側の面取り部７１ｂ，７２ｂは斜面状を成すものであるが、その逆であっても良く、あるいはいずれも曲面状、又はいずれも斜面状を成すものであっても良い。
【００３３】
又、斜面状を成す面取り部７１ｂ，７２ｂは、その角度を、前記ロック用係止部材５６，５７の第１の係合部５６ａ，５７ａと第２の係合部５６ｂ，５７ｂとの間の斜面５６ｄ，５７ｄの角度とほゞ同じくしている。
【００３４】
そして、上記凹部６９，７０のそれぞれ内部から外部にかけては蓋ロック検出手段である検出機構７３を設けている。この検出機構７３は、詳細には図１４に示すように、一端部７４ａを凹部６９，７０内に位置するように配設した検出レバー７４と、この検出レバー７４の円柱状の中間部７４ｂを凹部６９，７０の側壁部に形成した保持孔７５に回転可能に押え付けてねじ７６により固着された押え板７７と、この押え板７７を貫通した検出レバー７４の他端部７４ｃにより作動子７８ａが押圧されて例えばオン作動するように配置したマイクロスイッチ７８とから成るものであり、そのマイクロスイッチ７８のオン作動によって食器洗浄機５の運転が実行され、オフ作動によって食器洗浄機５の運転が停止されるようになっている。
【００３５】
加えて、蓋２５の先端部である前蓋体２７の前端部には、中央部に、図４に示すごとく、第２のロック用係止部材である爪ピース７９を、弾性体であるスプリング８０により常時前外方へ突出するように設けており、これに対応して、洗浄槽１１側である槽体６の凹部９前壁面には凹部８１によって第２の被係合部８２を形成している。なお、爪ピース７９も先端部には先方に向かって漸次上昇する斜面７９ａを下側に有しており、第２の被係合部８２は上側の端縁部に曲面状の面取り部８２ａを形成している。
【００３６】
又、蓋２５の前蓋体２７の前端部の左右両側部には、図５に示すように水抜孔８３を形成している。更に、前記枢支機構３０を覆ったカバー３８の中央部には排気口８４を形成している。この排気口８４は、図１５に示すように、洗浄槽１１の側壁上部に形成した排気孔８５と管路８６により連通するもので、その管路８６は、洗浄槽１１の排気孔８５周縁から延出した管路主壁８６ａと、この管路主壁８６ａに結合した管路カバー８７とから成っている。そして、管路カバー８７には、排気孔８５と排気口８４との間に位置して排気孔８５から出る洗浄水が排気口８４に到達するのを阻止する遮水壁８７ａを形成しており、又、排気口８４にはルーバ８８を形成している。
【００３７】
次に、上記構成のものの作用を述べる。
まず、図２は蓋２５が開状態にあるときの様子を示している。このとき、蓋２５は、後蓋体２６が軸３１を中心に上方へ回動し、前蓋体２７が後蓋体２６とのシャフト２９による連結部分から下方へ回動して、二つに折り畳まれた状態となっており、この状態で洗浄槽１１の上面の開口部を開放している。
又、このとき、枢支機構３０のスプリング３４は、図９に実線で示す状態にあって、レバー３３から軸３１を時計回りに付勢しており、これによって後蓋体２６ひいては蓋２５の全体を開方向に付勢し、蓋２５を開状態に保持している。
【００３８】
さて、この状態から、今、手掛部４７の凹部４８より操作部材４９に手先を入れて掛け、この掛けた手先で蓋２５を手前に引けば、該蓋２５は、後蓋体２６が軸３１を中心に下方へ回動しつつ、前蓋体２７が後蓋体２６とのシャフト２９による連結部分から前方へ回動することにより、図３、図４、及び図８に示すように、平坦に伸ばされた状態となって、洗浄槽１１の上面の開口部を閉鎖する。
【００３９】
又、このとき、枢支機構３０のスプリング３４は、蓋２５（後蓋体２６）の下方への回動が所定角度以下に達したところで、図９に示す取付板３５の立上り片３５ａに対するスプリング３４自身の取付部（一端部）とレバー３３の回転中心とを結ぶ線Ｏを上方に越え、同図に二点鎖線で示す位置に至って、レバー３３から軸３１を反時計回りに付勢し、これによって後蓋体２６ひいては蓋２５の全体を閉方向に付勢する。
【００４０】
一方、ロック用係止部材５６，５７は、自然状態では図１の（ａ）に示すように、スプリング６７，６８のばね力により各先端部を前蓋体２７の両側面部から外方へ突出させた状態にあり、従って、上記蓋２５の閉鎖最終段階で、そのロック用係止部材５６，５７の各先端部が槽体６の最上縁部に当たる。しかしながら、その当たる相手側は槽体６の被係合部７１，７２の上側の端縁部に形成した面取り部７１ａ，７２ａであって、且つ、ロック用係止部材５６，５７の当たる部分自身も斜面５６ｃ，５７ｃであり、従って、蓋２５の閉鎖時の勢いによって、それら面取り部７１ａ，７２ａ及び斜面５６ｃ，５７ｃは、互いに摺接しつつスプリング６７，６８のばね力に抗してロック用係止部材５６，５７を後退させるようにガイドする。
【００４１】
これによって、ロック用係止部材５６，５７の先端部は相手部材である槽体６の被係合部７１，７２を越え、越えたところで、スプリング６７，６８のばね力により再び突出し、図１の（ｂ）に示すように、第１の係合部５６ａ，５７ａと第２の係合部５６ｂ，５７ｂとの間の斜面５６ｄ，５７ｄが被係合部７１，７２の下側の面取り部７２ａ，７２ｂに衝止されるまで凹部６９，７０内に進入して、第１の係合部５６ａ，５７ａを被係合部７１，７２に係合させ、かくして蓋２５を閉状態にロックする。
【００４２】
なお、この場合、蓋２５の後蓋体２６と前蓋体２７との連結部分近傍を上方から少し押圧するか、又は操作部材４９を操作することによって、ロック用係止部材５６，５７の各先端部を、上述同様に槽体６の被係合部７１，７２を越えさせ、そして、その被係合部７１，７２に係合させるようにしても良い。
【００４３】
更に、爪ピース７９も、蓋２５の閉鎖最終段階で、先端部が槽体６の凹部８１上方の部分（第２の被係合部８２）に当たるものの、その当たる相手側は第２の被係合部８２の上側の端縁部に形成した面取り部８２ａであって、且つ、爪ピース７９の当たる部分自身も斜面７９ａであって、従って、上述同様に蓋２５の閉鎖時の勢い、あるいは蓋４５を上方から押圧する力によって、第２の被係合部８２を容易に越え、該被係合部８２に係合して、蓋２５を閉状態にロックする。
【００４４】
又、このとき、蓋２５の裏面に設けた凸部４４，４５は、洗浄槽１１側のパッキン４３に載って当接するのみで、該パッキン４３を強圧してはいない。
更に、このとき、ロック用係止部材５６，５７は検出機構７３の検出レバー７４とは未だ無関係の位置にあり、マイクロスイッチ７８はオフしたままで、使用者がスタート操作をしても、食器洗浄機５の運転は実行されない。
【００４５】
これに対して、その状態から、前記操作部材４９に掛けた手先で該操作部材４９を図８及び図１０に矢印Ａで示す反時計回りに操作すると、操作部材４９はボス５０を中心に同方向へ回動して、ピン５１によりロック用係止部材５６を矢印Ｂで示す左方向にスライドさせ、ピン５２によりロック用係止部材５７を矢印Ｃで示す右方向にスライドさせる。
【００４６】
このロック用係止部材５６，５７のスライドは、それぞれ案内部６０〜６３により案内されるものであり、スライドされたロック用係止部材５６，５７は、先端部をこれまでの位置より更に外方へ突出させる。このため、前記第１の係合部５６ａ，５７ａと第２の係合部５６ｂ，５７ｂとの間の斜面５６ｄ，５７ｄが被係合部７１，７２の下側の面取り部７１ｂ，７２ｂに摺接し、これによりガイドされてロック用係止部材５６，５７は、下方へ沈みつつ、凹部６９，７０内に更に進入して、図１の（ｃ）に示すように、第２の係合部５６ｂ，５７ｂを被係合部７１，７２に係合させる。これにより、蓋２５は上述の第１の係合部５６ａ，５７ａによるロック位置より下方へ寄せられて、該下方の位置でロックされる。
【００４７】
この場合の蓋２５の押し下げ量は、ロック用係止部材５６，５７の第１の係合部５６ａ，５７ａと第２の係合部５６ｂ，５７ｂとの高低差Ｓに等しく、その分、前記蓋２５裏面の凸部４４，４５が、洗浄槽１１側のパッキン４３を強圧し、洗浄槽１１の上面の開口部の周縁と蓋２５との間の水封を確実にする。
【００４８】
又、このとき、ロック用係止部材５６，５７は、先端部の斜面５６ｃ，５７ｃによって検出機構７３の検出レバー７４の一端部７４ａを押し下げ、これによって、検出レバー７４は他端部７４ｃによりマイクロスイッチ７８の作動子７８ａを押し込むので、該マイクロスイッチ７８がオン作動する。よって、この後、使用者のスタート操作に基づいて、食器洗浄機５の運転が実行される。
【００４９】
次いで、上述の状態から、操作部材４９を図８及び図１０に矢印Ｄで示す時計回りに操作すると、操作部材４９は同方向へ回動して、ピン５１によりロック用係止部材５６を矢印Ｅで示す右方向にスライドさせ、ピン５２によりロック用係止部材５７を矢印Ｆで示す左方向にスライドさせる。スライドされたロック用係止部材５６，５７は、先端部をこれまでの位置より内方へ引込めるものであり、これによって、上述の第２の係合部５６ｂ，５７ｂによるロック位置から第１の係合部５６ａ，５７ａによるロック位置に戻って、蓋２５の押し下げを解除するから、パッキン４３の強圧が解除される。又、検出機構７３の検出レバー７４の操作も解除されるもので、マイクロスイッチ７８がオフ作動するから、このとき、食器洗浄機５が運転中であれば、その運転が即座に停止される。
【００５０】
そして、操作部材４９を上記時計回りに更に操作すると、ロック用係止部材５６は矢印Ｅで示す右方向に、ロック用係止部材５７は矢印Ｆで示す左方向にそれぞれ更にスライドされて、先端部を更に内方に引込め、洗浄槽１１側の凹部６９，７０から抜け出て、被係合部７１，７２との係合を完全に解除し、蓋２５のロックを解除する。
【００５１】
しかして、その後、引き続いて、操作部材４９を後上方へ持ち上げ操作すると、蓋２５は、後蓋体２６が軸３１を中心に上方へ回動しつつ、前蓋体２７が後蓋体２６とのシャフト２９による連結部分から下方へ回動することにより、先の図２に示すように、二つに折り畳まれた状態となって、洗浄槽１１の上面の開口部を開放する。
又、このとき、爪ピース７９は、前蓋体２７の動き、中でも最初の動きにより、洗浄槽１１側の凹部８１から抜け出、第２の被係合部８２との係合を解除して、蓋２５のロックを解除する。
【００５２】
このように本構成のものでは、蓋２５はガイドレールを設ける必要のない上下回動式でありながら、開時には二つに折り畳まれ、背丈の低い小形の形態となる。よって、その上方に吊戸棚等があっても、蓋２５がその吊戸棚等に当たることが避けられ、目障りになることも避けられる。
【００５３】
一方、閉状態では、蓋２５は、二つ折り状態から伸ばされて洗浄槽１１の上面の開口部を覆い切るもので、更に、この状態で、ロック用係止部材５６，５７が洗浄槽１１側に係合することによりロックされるから、蓋２５を閉状態に確実に留めることができて、洗浄運転中における蓋２５の水圧，振動による開き、並びにそれによる洗浄水の飛散等の問題を生じないようにでき、併せて、子供のいたずらによる蓋２５の開放等も防止することができる。
【００５４】
更に、本構成のものにおいては、上記ロック用係止部材５６，５７による蓋２５のロック位置には第１の係合部５６ａ，５７ａによるロック位置と、第２の係合部５６ｂ，５７ｂによるロック位置とがあって、後者のロック位置は前者のロック位置よりも下方であり、その分、蓋２５が下方に寄せられ、パッキン４３を強圧して一段と高い水封効果が得ることができる。
【００５５】
この場合、その高い水封効果を得る操作を、操作部材４９を持った手で蓋２５を単に押圧することにより行おうとすると、ロック用係止部材５６，５７が蓋２５の二つ折り可能な部分近傍にあって係合部５６ａ，５７ａ，５６ｂ，５７ｂが操作部材４９から離れた位置に存するため、蓋２５をかなりの力で押圧しなければならないことになり、操作性が良くない。
【００５６】
その点、本構成のものでは、操作部材４９を単純に操作することにより、ロック用係止部材５６，５７を移動させて上記第２の係合部５６ｂ，５７ｂによるロック位置に至らしめ得、パッキン４３を強圧することができるので、無理な力を要することなくそれができ、よって、高い水封効果を操作性良く確実に得ることができる。
【００５７】
加えて、本構成のものの場合、洗浄機構は、蓋２５がロック用係止部材５６，５７の第１の係合部５６ａ，５７ａによりロックされる位置では、検出機構７３がオン作動しないことにより作動不能で、第２の係合部５６ｂ，５７ｂによりロックされる位置では検出機構７３がオン作動することにより作動可能としている。これにより、上述のパッキン４３を強圧して高い水封効果が得られる状態でのみ洗浄運転を行わせることができるようになり、洗浄水の漏れ等の問題をより確実に生じないようにすることができる。
【００５８】
又、本構成のものの場合、ロック用係止部材５６，５７をスプリング６７，６８（弾性体）により常時蓋２５より外方へ突出するように付勢していて、その付勢力により第１の係合部５６ａ，５７ａによる蓋２５のロックが蓋２５の閉鎖と同時に行われるようにしているので、自然にロックがかかり、ことさらロックのための操作を必要としないので、使い勝手を良くすることができる。
【００５９】
更に、蓋２５がロック用係止部材５６，５７の第１の係合部５６ａ，５７ｂによりロックされる位置ではパッキン４３を強圧しないようにしており、これによって、ロック用係止部材５６，５７をその第１の係合部５６ａ，５７ａによるロック位置に至らしめるとき、並びに該ロック位置からロック用係止部材５６，５７を戻すときの両方向について、パッキン４３の弾発力が作用しないようにし得て、それぞれ必要な力（スプリング６７，６８の付勢力、操作部材４９対する使用者の操作力）を少なく済ませ得、コストの抑制及び操作性の向上に一層寄与することができる。
【００６０】
又、ロック用係止部材５６，５７の第１の係合部５６ａ，５７ａ及び第２の係合部５６ｂ，５７ｂが係合する相手の槽体６が、その係合に供する被係合部７１，７２の上下両側に面取り部７１ａ，７２ａ，７１ｂ，７２ｂを有しているから、ロック用係止部材５６，５７が第１の係合部５６ａ，５７ａによるロック位置に至るとき、そして、第２の係合部５６ｂ，５７ｂによるロック位置に至るときの、動作がそれぞれ引掛かりなくスムーズに行われるようになり、操作性を更に良くすることができる。
【００６１】
このほか、本構成のものにおいては、ロック用係止部材５６，５７の第２の係合部５６ｂ，５７ｂは凸形状で槽体６の被係合部７１，７２と係合するようにしており、これによって、ロック用係止部材５６，５７が第２の係合部５６ｂ，５７ｂによるロック位置に至るとき、あるいはそのロック位置から脱するときの摩擦抵抗をそれぞれ小さくでき、その分、使用者の操作力を少なく済ませることができて、操作性の向上に寄与することができる。
【００６２】
以上に対して、図１６及び図１７は本発明の第２実施例を示すもので、以下、これにつき、第１実施例と相違する点のみを述べる。
このものの場合、第２のロック用係止部材１０１を、前述の爪ピース７９に代えて、蓋２５の前蓋体２７の下殻２７ｂに一体に形成しており、該第２のロック用係止部材１０１の左右の両側方部及び下方部は切欠部１０２で下殻２７ｂから離し、従って、該第２のロック用係止部材１０１は上部を支点として前後に弾性変形するもので、その弾性変形により、下端前面の爪部１０１ａが、槽体６の凹部９前壁面に形成した第２の被係合部である凸部１０３に係合するようになっている。
【００６３】
このような構成とすることにより、蓋２５の閉状態のロックが、ロック用係止部材５６，５７によるロックと併せて、より確実にできるだけでなく、それに使用する別部品の点数を少なくでき、コストを安く抑えることができる。
【００６４】
図１８及び図１９は本発明の第３実施例を示すもので、これも、以下、第１実施例と相違する点のみを述べる。
このものの場合、前蓋体２７内には、蓋２５の二つ折り可能な部分に位置して、連結部材２０１，２０２を設けている。この連結部材２０１，２０２は前述のロック用係止部材５６，５７と似ているものの、その各先端部には結合部２０１ａ，２０２ａを有している。この結合部２０１ａ，２０２ａは、常時は後蓋体２６の前部に前方及び上方に開放させて形成した切欠部２０３，２０４内に位置しており、ここから、更にその左右の両外側方部に形成した穴２０５，２０６内に臨んでいる。
【００６５】
一方、連結部材２０１，２０２の各基端部は、ロック用係止部材５６，５７同様に、前後（図中上下）に長い長孔２０７，２０８により操作部材４９のピン５１，５２に嵌合して連結しており、連結部材２０１，２０２のそれぞれ全体に前述のスプリング６７，６８による付勢力を及ぼしている。
【００６６】
加えて、蓋２５の自由端側の蓋体である前蓋体２７の中央部にはロック用係止部材２０９を設けている。詳細には、このロック用係止部材２０９の一端部を左右に長い長孔２１０により操作部材４９の左側部に設けたピン２１１に嵌合して連結しており、スプリング２１２の付勢力により、他端部が前蓋体２７の先端部である前縁部のほゞ中央より前方に臨むようにしている。このロック用係止部材２０９の他端部は前述のロック用係止部材５６，５７の先端部と同様であり、従って、前述の第１の係合部５６ａ，５７ａ、第２の係合部５６ｂ，５７ｂ、及び斜面５６ｃ，５７ｃ，５６ｄ，５７ｄ同様の、第１の係合部２０９ａ、第２の係合部２０９ｂ、及び斜面２０９ｃ，２０９ｄを有している。
【００６７】
又、これに対応して、槽体６の凹部９前壁面には、前述の凹部６９，７０、被係合部７１，７２、及び面取り部７１ａ，７１ｂ，７２ａ，７２ｂ同様の、凹部２１３、被係合部２１４、及び面取り部２１４ａ，２１４ｂを形成している。
【００６８】
この構成で、蓋２５を伸ばして閉じた状態から操作部材４９を矢印Ａで示す反時計回りに操作すれば、連結部材２０１，２０２が前述のロック用係止部材５６，５７同様に矢印Ｂ，Ｃ方向にスライドして、結合部２０１ａ，２０２ａを穴２０５，２０６内に進入させ、後蓋体２６と前蓋体２７との連結をする。
又、このとき、ロック用係止部材２０９は矢印Ｇで示す前方（図１８では下方）にスライドして、第１の係合部２０９ａを被係合部２１４に係合させ、蓋２５のロックをする。
【００６９】
そして、操作部材４９を更に矢印Ａで示す反時計回りに操作すれば、連結部材２０１，２０２も更に矢印Ｂ，Ｃ方向にスライドして、結合部２０１ａ，２０２ａを穴２０５，２０６内の深くに進入させる。
又、このとき、ロック用係止部材２０９も更に前方（矢印Ｇ方向）にスライドして、第２の係合部２０９ｂを被係合部２１４に係合させ、パッキン４３を強圧する。更にこのとき、ロック用係止部材２０９は、先端部の斜面２０９ｃによって検出機構７３の検出レバー７４の一端部７４ａを押し下げ、これによって、検出レバー７４が他端部７４ｃによりマイクロスイッチ７８をオン作動させる。
【００７０】
次いで、上述の状態から、操作部材４９を矢印Ｄで示す時計回りに操作すると、ロック用係止部材２０９が矢印Ｈで示す後方にスライドして、上述の第２の係合部２０９ｂによるロック位置から第１の係合部２０９ａによるロック位置に戻り、パッキン４３の強圧を解除する。又、このとき、検出機構７３の検出レバー７４の操作も解除され、マイクロスイッチ７８はオフ作動する。更に、連結部材２０１，２０２も矢印Ｅ，Ｆ方向にスライドして、結合部２０１ａ，２０２ａを穴２０５，２０６内の浅い進入位置に戻す。
【００７１】
この後、操作部材４９を上記時計回りに更に操作すると、ロック用係止部材２０９も更にＨ方向にスライドして、先端部が洗浄槽１１側の凹部２１３から抜け出し、被係合部２１４との係合を完全に解除し、蓋２５のロックを解除する。又、このとき、連結部材２０１，２０２も更に矢印Ｅ，Ｆ方向にスライドして、結合部２０１ａ，２０２ａを穴２０５，２０６内から脱出させる。
【００７２】
しかして、その後、引き続いて、操作部材４９を後上方へ持ち上げ操作すると、蓋２５は、後蓋体２６が軸３１を中心に上方へ回動しつつ、前蓋体２７が後蓋体２６とのシャフト２９による連結部分から下方へ回動することにより、二つに折り畳まれた状態となって、洗浄槽１１の上面の開口部を開放する。
【００７３】
このものによれば、蓋２５の閉状態のロック、及び該状態からのパッキン４３の強圧が、連結部材２０１，２０２により蓋２５の後蓋体２６と前蓋体２７とを平坦に伸ばした一枚状態に連結することを伴って行い得るもので、その分、ロック用係止部材２０９は他の１か所に設けるだけで良く、更にそれに伴い、検出機構７３も一組だけを設ければ良いので、コストの抑制に寄与できる。
【００７４】
加えて、このものの場合、ロック用係止部材２０９先端部の第１の係合部２０９ａ及び第２の係合部２０９ｂは、後蓋体２６と前蓋体２７とのうちの自由端側の蓋体である前蓋体２７の先端部のほゞ中央部分において、それぞれ蓋２５のロックをするように設けており、これによって、蓋２５のロック及びパッキン４３の強圧が蓋２５の先端部（自由端部）のほゞ中央部分ででき、より確実なロック、及びより確実な水封ができる。
【００７５】
図２０は本発明の第４実施例を示すもので、これも、以下、第１実施例と相違する点のみを述べる。
このものの場合、前述の第１の係合部５６ａ，５７ａと、第２の係合部５６ｂ，５７ｂ、及び斜面５６ｄ，５７ｄに相当する、第１の係合部３０１と、第２の係合部３０２、及び斜面３０３を、槽体６の凹部６９，７０に形成し、斜面５６ｃ，５７ｃに相当する曲面状の面取り部３０４を飾り枠３０５に形成している。この飾り枠３０５は天板２に対する槽体６の取付けに供したねじ３０６を覆ったもので、ねじ３０６の締付けは天板２の変形を防止するための補強枠３０７を介して行っている。
【００７６】
又、このものの場合、前述の被係合部７１，７２に相当する被係合部３０８をロック用係止部材５６，５７の先端部に形成しており、面取り部７１ａ，７１ｂ，７２ａ，７２ｂに相当する、斜面状の面取り部３０９，３１０を、被係合部３０８の上下両側に形成している。
【００７７】
このように前述とは逆の関係に設けても、蓋２５を閉じたときには、面取り部３０４に斜面３１０が摺接してロック用係止部材５６，５７を一旦後退させてから、該ロック用係止部材５６，５７の先端部（被係合部３０８）がスプリング６７，６８のばね力により槽体６の第１の係合部３０１に係合することによって、図２０の（ｂ）に示すように蓋２５を閉状態にロックする。
【００７８】
このとき、蓋２５の裏面に設けた凸部４４，４５は、洗浄槽１１側のパッキン４３に載って当接するのみで、該パッキン４３を強圧してはいない。
又、ロック用係止部材５６，５７は検出機構７３の検出レバー７４とは未だ無関係の位置にあり、マイクロスイッチ７８はオフしたままで、使用者がスタート操作をしても、食器洗浄機５の運転は実行されない。
【００７９】
しかして、その状態から、操作部材４９の操作によりロック用係止部材５６，５７をそれぞれ外方へスライドさせることにより、面取り部３０９が斜面３０３に摺接して、図２０の（ｃ）に示すように、被係合部３０８が第２の係合部３０２に係合し、これにより、蓋２５が上述の第１の係合部３０１によるロック位置より下方へ寄せられて、該下方の位置でロックされる。そして、その蓋２５の降下分、蓋２５裏面の凸部４４，４５が、洗浄槽１１側のパッキン４３を強圧し、洗浄槽１１の上面の開口部の周縁と蓋２５との間の水封を確実にする。
【００８０】
又、このとき、ロック用係止部材５６，５７は、面取り部３１０によって検出機構７３の検出レバー７４の一端部７４ａを押し下げ、これによって、検出レバー７４はマイクロスイッチ７８がオン作動させるので、この後、使用者のスタート操作に基づき、食器洗浄機５の運転が実行されるものであり、前述同様の作用効果を得ることができる。なお、この構成は上記第３実施例の槽体６の凹部２１３及びロッ用係止部材２０９にも同様に適用して実施することができる。
又、パッキン４３も、洗浄槽の開口部周縁にではなく、蓋２５の裏面周縁部に設けるようにしても良い。
【００８１】
このほか、本発明は上記し且つ図面に示した実施例にのみ限定されるものではなく、下記の変更又は拡張が可能である。
スプリング６７，６８，８０で例示した弾性体は、いずれもゴム等に変えて実施しても良い。
又、キャビネットは台所用以外のものであっても良く、更にシステムキッチン用でもなく洗浄機専用のものであっても良い。
【００８２】
被洗浄物も食器以外、例えば野菜、果物等であっても良いもので、洗浄方式も噴水タイプには限られず、被洗浄物を水中に浸漬させて生起する水流により洗浄するものであっても良い。
蓋ロック検出手段（検出機構７３）はロック用係止部材に設けた磁石と、洗浄槽側に設けたリードスイッチやホールＩＣ等から成るものであっても良い。
【００８３】
【発明の効果】
本発明は以上説明したとおりのもので、下記の効果を奏する。
請求項１の洗浄機によれば、蓋がガイドレールを設ける必要のない上下回動式でありながら、開時には二つに折り畳まれ、背丈の低い小形の形態となるから、蓋が上方の吊戸棚等に当たることが避けられ、目障りになることも避けられる。又、閉状態では、蓋が二つ折り状態から伸ばされて洗浄槽の上面の開口部を覆い切り、更に、この状態で、ロック用係止部材が洗浄槽側に係合することによりロックされるから、蓋を閉状態に確実に留めることができて、洗浄運転中における蓋の水圧，振動による開き、並びにそれによる洗浄水の飛散等の問題を生じないようにでき、併せて、子供のいたずらによる蓋の開放等も防止できる。
【００８４】
更に、上記蓋のロック位置には第１の係合部によるロック位置と、第２の係合部によるロック位置とがあって、後者のロック位置が前者のロック位置よりも下方であることにより、蓋を下方に寄せ、水封部材を強圧して一段と高い水封効果が得ることができる。
しかも、その場合、その高い水封効果を、操作部材を単純に操作することにより得ることができるので、蓋をかなりの力で押圧するような無理な力を要することなくそれができ、よって、高い水封効果を操作性良く得ることができる。
【００８５】
請求項２の洗浄機によれば、高い水封効果が得られる状態でのみ洗浄運転を行わせることができて、洗浄水の漏れ等の問題をより確実に生じないようにすることができる。
請求項３の洗浄機によれば、第１の係合部による蓋のロックが自然に行われ、ことさらロックのための操作を必要とせずして、使い勝手を良くすることができる。
【００８６】
請求項４の洗浄機によれば、ロック用係止部材を第１の係合部によるロック位置に至らしめるとき、並びに該ロック位置からロック用係止部材を戻すときの両方向について、それぞれ必要とする力を少なく済ませ得、コストの抑制及び操作性の向上に一層寄与することができる。
請求項５の洗浄機によれば、ロック用係止部材が第１の係合部によるロック位置に至るとき、そして、第２の係合部によるロック位置に至るときの、動作がそれぞれ引掛かりなくスムーズに行われ、操作性を更に良くすることができる。
【００８７】
請求項６の洗浄機によれば、ロック用係止部材が第２の係合部によるロック位置に至るとき、あるいはそのロック位置から脱するときの摩擦抵抗をそれぞれ小さくできることにより、使用者の操作力を少なく済ませることができて、操作性の向上に寄与することができる。
【００８８】
請求項７の洗浄機によれば、請求項１の洗浄機と同様の効果が得られるのに加えて、更に、蓋のロック、及び該状態からの水封部材の強圧が、連結部材により蓋の第１の蓋体と第２の蓋体とを平坦に伸ばした一枚状態に連結することを伴って行い得ることにより、ロック用係止部材を他の１か所に設けるに留め得、又それに伴い、蓋開閉検出手段も一組を設けるに留め得るから、コストの抑制に寄与できる。
請求項８の洗浄機によれば、蓋のロック及び水封部材の強圧が蓋の自由端部のほゞ中央部分でできて、より確実なロック、及びより確実な水封ができる。
【図面の簡単な説明】
【図１】本発明の第１実施例の主要部分を（ａ）〜（ｃ）で操作順に示す、図８のＩ−Ｉ線に沿う縦断面図
【図２】蓋の開状態で示す全体的部分の斜視図
【図３】蓋の閉状態で示す全体的部分の斜視図
【図４】図３のＪ−Ｊ線に沿う蓋部分の縦断側面図
【図５】全体的部分の蓋取外し状態の斜視図
【図６】枢支機構の拡大平面図
【図７】図６のＫ−Ｋ線に沿う軸の縦断面図
【図８】全体的部分の平面図
【図９】図５のＬ−Ｌ線に沿う枢支機構部分の縦断面図
【図１０】図５のＭ−Ｍ線に沿う枢支機構部分と蓋部分との分解縦断面図
【図１１】ロック機構部分の横断面図
【図１２】図１の（ａ）のＮ−Ｎ線に沿うロック用係止部材の縦断側面図
【図１３】ロック用係止部材の部分斜視図
【図１４】図１の（ｃ）のＯ−Ｏ線に沿う蓋ロック検出機構部分にかけての縦断側面図
【図１５】図３のＰ−Ｐ線に沿う排気口部分の拡大縦断側面図
【図１６】本発明の第２実施例を示す図４部分相当図
【図１７】図１６の矢印Ｑ方向より見た第２のロック用係止部材部分の正面図
【図１８】本発明の第３実施例を示す図８部分相当図
【図１９】図１８のＲ−Ｒ線に沿うロック用係止部材部分の縦断側面図
【図２０】本発明の第４実施例を示す図１相当図
【符号の説明】
１はキャビネット、５は食器洗浄機（洗浄機）、７は開口部、１１は洗浄槽、１６は噴水アーム（洗浄機構）、２１は洗浄ポンプ（洗浄機構）、２５は蓋、２６は後蓋体（第１の蓋体）、２７は前蓋体（第２の蓋体）、２６ｃ，２７ｃは連結部、２９はシャフト、３０は枢支機構、４３はパッキン（水封部材）、４９は操作部材、５６，５７はロック用係止部材、５６ａ，５７ａは第１の係合部、５６ｂ，５７ｂは第２の係合部、５６ｄ，５７ｄは斜面、６７，６８はスプリング（弾性体）、７１，７２は被係合部、７１ａ，７１ｂ，７２ａ，７２ｂは面取り部、７３は検出機構（蓋ロック検出手段）、７８はマイクロスイッチ、２０１，２０２は連結部材、２０１ａ，２０２ａは結合部、２０９はロック用係止部材、２０９ａは第１の係合部、２０９ｂは第２の係合部、２０９ｄは斜面、２１４は被係合部、２１４ａ，２１４ｂは面取り部、３０１は第１の係合部、３０２は第２の係合部、３０３は斜面、３０８は被係合部、３０９，３１０は面取り部を示す。
【図１】
0003540559.tif 000002
【図２】
0003540559.tif 000003
【図３】
0003540559.tif 000004
【図４】
0003540559.tif 000005
【図５】
0003540559.tif 000006
【図６】
0003540559.tif 000007
【図７】
0003540559.tif 000008
【図８】
0003540559.tif 000009
【図９】
0003540559.tif 000010
【図１０】
0003540559.tif 000011
【図１１】
0003540559.tif 000012
【図１２】
0003540559.tif 000013
【図１３】
0003540559.tif 000014
【図１４】
0003540559.tif 000015
【図１５】
0003540559.tif 000016
【図１６】
0003540559.tif 000017
【図１７】
0003540559.tif 000018
【図１８】
0003540559.tif 000019
【図１９】
0003540559.tif 000020
【図２０】
0003540559.tif 000021